(57)【特許請求の範囲】
【請求項１】
それぞれ電線と電気的に接続される一対の端子金具と、
前記端子金具を保持するコネクタハウジングと、を備えたコネクタにおいて、
前記コネクタハウジングに設けられ、かつ一対の電線を案内して、一対の電線のうち一方の電線を必ず一対の端子金具のうち一方の端子金具に接続させるとともに、他方の電線を必ず他方の端子金具に接続させる電線選り分け部を備え、
前記電線選り分け部は、コネクタハウジングを切り欠いているとともに内側に一対の電線が侵入する切欠きと、切欠きの内縁でかつ前記一対の電線の切欠きへの侵入方向の中央部に設けられた段差と、を備え、
前記段差は、前記一方の電線と接触して該一方の電線が切欠きの奥まで侵入することを規制するとともに、前記他方の電線が切欠きの奥まで侵入することを許容することを特徴とするコネクタ。
【請求項２】
一対の電線の外径は等しいとともに、一方の電線は、被覆部の外表面から突出しかつ前記切欠き内に侵入すると前記段差と接触する突起を備えたことを特徴とする請求項１記載のコネクタ。
【請求項３】
前記一方の電線の外径は、前記他方の電線の外径より大きいとともに、一方の電線は、前記切欠き内に侵入すると前記段差と接触することを特徴とする請求項１記載のコネクタ。
【請求項４】
前記コネクタハウジングは、一対の第２の電線を取り付ける電線装着部を備え、
前記電線装着部に一対の第２の電線が取り付けられると、これらの第２の電線はそれぞれ電線と電気的に接続するとともに、
電線装着部は、一対の第２の電線のうち一方の第２の電線が前記他方の電線と接続することを規制するとともに、前記一方の第２の電線が前記一方の電線と電気的に接続することを許容する第２の電線選り分け部を備えたことを特徴とする請求項１ないし請求項３のうちいずれか一項に記載のコネクタ。
【請求項５】
前記第２の電線選り分け部は、第２の電線を収容する一対の電線収容室と、電線収容室それぞれの内側に突出した一対の第２の突起を備え、一方の電線収容室は一方の第２の電線を収容しかつ他方の電線収容室は他方の第２の電線を収容し、
一対の第２の突起は、電線収容室が他方の第２の電線を収容することを許容するとともに、
他方の電線収容室に設けられた第２の突起は、他方の電線収容室が前記一方の第２の電線を収容することを規制することを特徴とする請求項４記載のコネクタ。
【請求項６】
一対の第２の電線の外径は等しいとともに、一方の第２の電線は、被覆部の外表面から突出しかつ前記他方の電線収容室内に侵入すると第２の突起と干渉する第３の突起を備えたことを特徴とする請求項５記載のコネクタ。
【請求項７】
前記一方の第２の電線の外径は、前記他方の第２の電線の外径より大きいとともに、一方の第２の電線は、前記他方の電線収容室内に侵入すると前記第２の突起と干渉することを特徴とする請求項５記載のコネクタ。
【発明の詳細な説明】
【０００１】
【発明の属する技術分野】
本発明は、電線同士の接続等に使用されるコネクタに関する。
【０００２】
【従来の技術】
機械としての自動車には、種々の電子機器が搭載される。このため、前記自動車には前述した電子機器に各種の信号や電力を供給するためにワイヤハーネスを配索している。ワイヤハーネスは、複数の電線と、該電線の端部などに取り付けられるコネクタと、を備えている。ワイヤハーネスは、コネクタが前述した電子機器のコネクタに結合することにより、前述した電子機器に各種の信号や電力を供給する。
【０００３】
前述した電子機器に各種の信号などを伝送するために、一対の電線からなるペア電線を用いることがある。ペア電線の一方の電線と他方の電線は、互いに逆位相の信号を同時に伝送する。そして、ペア電線は、前述した一対の電線において伝送される信号のノイズを抑制する。
【０００４】
また、前述した自動車には、ユーザなどの希望により、新たな電子機器が追加されることがある。勿論、この新たな電子機器に所望の信号や電力などを供給することが必要になる。このため、前記自動車に配索済みのワイヤハーネスの電線と、前記新たな電気機器に信号などを供給するための電線を電気的に接続することとなる。このため、従来から種々のコネクタなどが用いられてきた。
【０００５】
【発明が解決しようとする課題】
既に配索された電線は、非常に狭いスペース内に収容されている。このため、既に配索されたペア電線と、新たに追加される電子機器に接続されるペア電線とを、非常に狭いスペース内で相互に接続する必要があった。また、前記ペア電線同士を接続する際には、勿論、位相が同じ電線同士を接続する必要がある。このため、ペア電線同士を接続する際には、非常に狭いスペース内で、同じ位相の電線同士を接続するため、作業にかかる手間が増加するとともに、同じ位相同士の電線同士を接続することが困難であった。
【０００６】
したがって、本発明の目的は、ペア電線同士を容易に接続できるコネクタを提供することにある。
【０００７】
【課題を解決するための手段】
前記課題を解決し目的を達成するために、請求項１に記載の本発明のコネクタは、それぞれ電線と電気的に接続される一対の端子金具と、前記端子金具を保持するコネクタハウジングと、を備えたコネクタにおいて、前記コネクタハウジングに設けられ、かつ一対の電線を案内して、一対の電線のうち一方の電線を必ず一対の端子金具のうち一方の端子金具に接続させるとともに、他方の電線を必ず他方の端子金具に接続させる電線選り分け部を備え、前記電線選り分け部は、コネクタハウジングを切り欠いているとともに内側に一対の電線が侵入する切欠きと、切欠きの内縁でかつ前記一対の電線の切欠きへの侵入方向の中央部に設けられた段差と、を備え、前記段差は、前記一方の電線と接触して該一方の電線が切欠きの奥まで侵入することを規制するとともに、前記他方の電線が切欠きの奥まで侵入することを許容することを特徴としている。
【０００９】
請求項２に記載の本発明のコネクタは、請求項１に記載のコネクタにおいて、一対の電線の外径は等しいとともに、一方の電線は、被覆部の外表面から突出しかつ前記切欠き内に侵入すると前記段差と接触する突起を備えたことを特徴としている。
【００１０】
請求項３に記載の本発明のコネクタは、請求項１に記載のコネクタにおいて、前記一方の電線の外径は、前記他方の電線の外径より大きいとともに、一方の電線は、前記切欠き内に侵入すると前記段差と接触することを特徴としている。
【００１１】
請求項４に記載の本発明のコネクタは、請求項１ないし請求項３のうちいずれか一項に記載のコネクタにおいて、前記コネクタハウジングは、一対の第２の電線を取り付ける電線装着部を備え、前記電線装着部に一対の第２の電線が取り付けられると、これらの第２の電線はそれぞれ電線と電気的に接続するとともに、電線装着部は、一対の第２の電線のうち一方の第２の電線が前記他方の電線と接続することを規制するとともに、前記一方の第２の電線が前記一方の電線と電気的に接続することを許容する第２の電線選り分け部を備えたことを特徴としている。
【００１２】
請求項５に記載の本発明のコネクタは、請求項４に記載のコネクタにおいて、前記第２の電線選り分け部は、第２の電線を収容する一対の電線収容室と、電線収容室それぞれの内側に突出した一対の第２の突起を備え、一方の電線収容室は一方の第２の電線を収容しかつ他方の電線収容室は他方の第２の電線を収容し、一対の第２の突起は、電線収容室が他方の第２の電線を収容することを許容するとともに、他方の電線収容室に設けられた第２の突起は、他方の電線収容室が前記一方の第２の電線を収容することを規制することを特徴としている。
【００１３】
請求項６に記載の本発明のコネクタは、請求項５に記載のコネクタにおいて、一対の第２の電線の外径は等しいとともに、一方の第２の電線は、被覆部の外表面から突出しかつ前記他方の電線収容室内に侵入すると第２の突起と干渉する第３の突起を備えたことを特徴としている。
【００１４】
請求項７に記載の本発明のコネクタは、請求項５に記載のコネクタにおいて、前記一方の第２の電線の外径は、前記他方の第２の電線の外径より大きいとともに、一方の第２の電線は、前記他方の電線収容室内に侵入すると前記第２の突起と干渉することを特徴としている。
【００１５】
請求項１に記載した本発明のコネクタによれば、電線選り分け部は、必ず一方の電線と一方の端子金具とが接続しかつ他方の電線と他方の端子金具とが接続するように、一対の電線を案内する。このため、予め一方の端子金具に一方の電線と同じ位相の電線を接続し、他方の端子金具に他方の電線と同じ位相の電線を接続しておくことで、同じ位相の電線同士を確実に接続できる。また、電線選り分け部により、一方の電線と一方の端子金具とが接続しかつ他方の電線と他方の端子金具とが接続する。このため、同じ位相の電線同士を容易に接続できる。
【００１６】
段差は一方の電線が切欠きの奥まで侵入することを規制し、他方の電線が切欠きの奥まで侵入することを許容する。このため、切欠き内に一対の電線を挿入することで、一方の電線と一方の端子金具とが接続できるように、他方の電線と他方の端子金具とが接続できるように、一対の電線を選り分ける。
【００１７】
請求項２に記載した本発明のコネクタによれば、一方の電線が段差と接触する突起を備えている。このため、一方の電線と他方の電線とをより確実に選り分けることができる。
【００１８】
請求項３に記載した本発明のコネクタによれば、一方の電線の外径が他方の電線より大きい。このため、一方の電線が段差と確実に干渉して、一方の電線と他方の電線とをより確実に選り分けることができる。
【００１９】
請求項４に記載した本発明のコネクタによれば、第２の電線選り分け部が、一方の第２の電線が他方の電線に接続することを規制し、一方の第２の電線が一方の電線と接続することを許容する。このため、必ず第２の電線選り分け部により、一方の第２の電線と一方の電線とを接続でき、他方の第２の電線と他方の電線とを接続できる。
【００２０】
このため、一方の第２の電線と一方の電線とを予め同じ位相に定めておき、他方の第２の電線と他方の電線とを予め同じ位相に定めておくことにより、同じ位相の電線同士を確実に接続できる。
【００２１】
請求項５に記載した本発明のコネクタによれば、第２の突起は、他方の電線収容室内に一方の第２の電線が収容されることを規制する。また、他方の電線収容室内には、一方の電線と接続する一方の第２の電線が収容される。このため、第２の突起により、一方の電線収容室内に一方の第２の電線が収容されかつ他方の電線収容室内に他方の第２の電線が収容される。このため、必ず一方の第２の電線を一方の電線と確実に接続でき、必ず他方の第２の電線を他方の電線と確実に接続できる。したがって、一方の第２の電線と一方の電線とを予め同じ位相に定めておき、他方の第２の電線と他方の電線とを予め同じ位相に定めておくことにより、同じ位相の電線同士を確実に接続できる。
【００２２】
請求項６に記載した本発明のコネクタによれば、一方の第２の電線が第２の突起と接触する突起を備えている。このため、一方の第２の電線を一方の電線収容室内に確実に収容でき、一方の第２の電線と他方の第２の電線とを確実に選り分けることができる。
【００２３】
請求項７に記載した本発明のコネクタによれば、一方の第２の電線の外径が他方の第２の電線より大きい。このため、一方の第２の電線が第２の突起と確実に干渉して、一方の第２の電線を一方の電線収容室内に確実に収容できる。一方の第２の電線と他方の第２の電線とを確実に選り分けることができる。
【００２４】
【発明の実施の形態】
本発明の第１の実施形態にかかるコネクタを図１ないし図１９を参照して説明する。図１などに示すコネクタ１は、自動車などに配索されるワイヤハーネスを構成し、前述した自動車に既に配索されたペア電線２と、自動車に新たに追加される電子機器と接続する第２のペア電線３とを電気的に接続するために用いられる。
【００２５】
ペア電線２は、図１５などに示すように、互いに並行に配された一対の電線２ａ，２ｂを備えている。電線２ａ，２ｂは、それぞれ、導電性の芯線４と、この芯線４を被覆する絶縁性の被覆部５を備えた所謂被覆電線である。芯線４は、金属からなる。被覆部５は、合成樹脂からなる。一対の電線２ａ，２ｂのうち一方の電線２ａの被覆部５の外径Ｒ（図１５に示す）と、他方の電線２ｂの被覆部５の外径Ｒ（図１５に示す）とは等しい。
【００２６】
一方の電線２ａには、被覆部５の外表面から突出した突起６が設けられている。突起６は、一方の電線２ａの全長に亘って被覆部５の外表面から一方の電線２ａの外周方向に突出している。本実施形態では、突起６は、一方の電線２ａに一対（二つ）設けられている。これら一対の突起６は、一方の電線２ａの中心軸を中心として対称となる位置に配されている。又、一対の突起６は、ペア電線２が後述する切欠き２９内に侵入すると、後述の段差３０と干渉（接触）する。
【００２７】
前述した構成のペア電線２は、一方の電線２ａと他方の電線２ｂが互いに逆位相の信号を同時に伝送する。そして、ペア電線２は、一対の電線２ａ，２ｂによって伝送される信号のノイズを抑制する。
【００２８】
第２のペア電線３は、図１などに示すように、互いに並行に配された一対の第２の電線３ａ，３ｂを備えている。第２の電線３ａ，３ｂは、それぞれ、導電性の芯線７と、この芯線７を被覆する絶縁性の被覆部８を備えた所謂被覆電線である。芯線７は、金属からなる。被覆部８は、合成樹脂からなる。一対の第２の電線３ａ，３ｂのうち一方の第２の電線３ａの被覆部８の外径Ｒａ（図１３に示す）と、他方の第２の電線３ｂの被覆部８の外径Ｒａ（図１３に示す）とは等しい。
【００２９】
一方の第２の電線３ａには、被覆部８の外表面から突出した突起９が設けられている。突起９は、一方の第２の電線３ａの全長に亘って被覆部８の外表面から一方の第２の電線３ａの外周方向に突出している。本実施形態では、突起９は、一方の第２の電線３ａに一対（二つ）設けられている。これら一対の突起９は、一方の第２の電線３ａの中心軸を中心として対称となる位置に配されている。又、これら一対の突起９は、特許請求の範囲などに記載した第３の突起に相当する。一対の突起９は、一方の第２の電線３ａが後述の他方の電線収容室２１ｂ内に侵入すると、後述の他方の突起３３ｂと干渉（接触）する。
【００３０】
前述した構成の第２のペア電線３は、必ずコネクタ１により一方の第２の電線３ａが前述したペア電線２の一方の電線２ａに電気的に接続され、かつ必ず他方の第２の電線３ｂが前述したペア電線２の他方の電線２ｂに電気的に接続される。第２のペア電線３は、一方の第２の電線３ａと他方の第２の電線３ｂが互いに逆位相の信号を、自動車に新たに追加される電子機器に同時に伝送する。そして、第２のペア電線３は、一対の第２の電線３ａ，３ｂによって伝送される信号のノイズを抑制する。
【００３１】
また、一方の電線２ａと一方の第２の電線３ａとは、互いに同じ位相の信号を伝送する。他方の電線２ｂと他方の第２の電線３ｂとは、互いに同じ位相の信号を伝送する。
【００３２】
コネクタ１は、図１に示すように、第１のコネクタハウジング１０と、端子金具としての一対の圧接端子１２（図２ないし図４に示す）と、第２のコネクタハウジング１１と、一対の圧接端子１４（図２ないし図４に示す）と、レバー部材１５とを備えている。
【００３３】
第１のコネクタハウジング１０は、図４に示すように、平面形状が四角形状の壁４１と、三つの周壁４２とを備えている。周壁４２は、それぞれ壁４１の外縁から立設している。壁４１の表面上には、圧接端子１２が取り付けられる。こうして、第１のコネクタハウジング１０は、圧接端子１２を保持する。三つの周壁４２のうち互いの間隔をあけて相対する一対の周壁４２には、第２の切欠き４３と、長孔４４と、連動突起４５とが形成されている。第２の切欠き４３は、周壁４２の壁４１から離れた側の縁から壁４１に向かって周壁４２を切り欠いている。
【００３４】
このため、後述する切欠き２９が第２のコネクタハウジング１１を切り欠いた方向と、第２の切欠き４３が第１のコネクタハウジング１０を切り欠いた方向とは直交（交差）している。このため、後述するように、第１のコネクタハウジング１０を電線保持部１７に近づけると、切欠き２９と第２の切欠き４３とで電線２ａ，２ｂの外周を包囲する。
【００３５】
長孔４４の長手方向は、壁４１の表面に対し直交している。長孔４４内には、スライド突起２３が侵入する。連動突起４５は、周壁４２の外面から第１のコネクタハウジング１０の外方向に突出している。
【００３６】
第１のコネクタハウジング１０は、壁４１が第２のコネクタハウジング１１の壁１９，２７と平行となりかつ周壁４２の内側に第２のコネクタハウジング１１の後述の電線保持部１７を収容した格好で、第２のコネクタハウジング１１に取り付けられる。このとき、第１のコネクタハウジング１０の長孔４４内に後述のスライド突起２３が挿入される。このため、第１のコネクタハウジング１０は、壁４１と壁１９，２５とが互いに相対する方向に沿ってスライド自在に、第２のコネクタハウジング１１に支持される。
【００３７】
第１のコネクタハウジング１０は、第２のコネクタハウジング１１に取り付けられる圧接端子１４に接続された第２の電線３ａ，３ｂの長手方向に対し直交（交差）する方向（図１中の矢印Ｂで示す）に沿って、第２のコネクタハウジング１１に対してスライド自在とする。即ち、第１のコネクタハウジング１０は、第２のコネクタハウジング１１に対してスライドすることで、第２のコネクタハウジング１１の電線保持部１７に近づいたり離れたり（接離）する。
【００３８】
圧接端子１２は、図５に示すように、電線接続部４６と、圧接端子１４と電気的に接続する電気接触部４７とを備えている。電線接続部４６は、電線２ａ，２ｂが表面上に置かれる底壁４８と、複数の圧接刃４９と、を備えている。底壁４８は、平面形状が矩形状に形成されている。底壁４８の長手方向は、表面上に置かれる電線２ａ，２ｂの長手方向と直交する。
【００３９】
複数の圧接刃４９は、底壁４８の幅方向の両縁から立設している。圧接刃４９には、電線２ａ，２ｂの被覆部５を切り込んで芯線４と接触することのできる切欠き５０が設けられている。切欠き５０は、底壁４８から離れた側の圧接刃４９の縁から底壁４８に向かって圧接刃４９を切り欠いている。即ち、電線接続部４６即ち圧接端子１２は、電線２ａ，２ｂと圧接して、これら電線２ａ，２ｂと電気的に接続する。
【００４０】
電気接触部４７は、電線接続部４６に連なった板状の接触片５１を備えている。接触片５１は、前記底壁４８から圧接刃４９と同方向に立設している。接触片５１は、底壁４８から離れた側の縁が、圧接端子１４の電線接続部３５に圧接される第２の電線３ａ，３ｂの長手方向に沿って変位するように弾性変形自在である。
【００４１】
前述した構成の圧接端子１２は、図６に示すように、接触片５１が第２のコネクタハウジング１１に取り付けられた圧接端子１４の後述の接触片４０寄りに位置した状態で、第１のコネクタハウジング１０の壁４１上に取り付けられる。そして、第１のコネクタハウジング１０が電線保持部１７に向かってスライドされると、圧接刃４９が貫通孔２８を通して徐々に電線保持部１７内に侵入する。
【００４２】
さらに、一対の圧接端子１２のうち図４中手前側に位置する一方の圧接端子１２（以下符号１２ａで示す）の圧接刃４９は、第１のコネクタハウジング１０を電線保持部１７に向けてスライドさせると、後述の切欠き２９の矢印Ｃの中央部に位置する。図４中奥側に位置する他方の圧接端子１２（以下符号１２ｂで示す）の圧接刃４９は、第１のコネクタハウジング１０を電線保持部１７に向けてスライドさせると、切欠き２９の矢印Ｃの両端部に位置する。一方の圧接端子１２ａは本明細書に記した一方の端子金具をなし、他方の圧接端子１２ｂは本明細書に記した他方の端子金具をなしている。
【００４３】
第２のコネクタハウジング１１は、絶縁性の合成樹脂からなり筒状に形成されている。第２のコネクタハウジング１１は、図１ないし図４に示すように、電線装着部１６と、電線保持部１７とを備えている。電線装着部１６は、表面上に圧接端子１４が置かれる壁１９と、該壁１９から立設した三つの立設壁２０と、カバー１８とを備えている。
【００４４】
立設壁２０は、互いに平行でかつ互いに等間隔に配されている。また、三つの立設壁２０のうち電線装着部１６即ち第２のコネクタハウジング１１の外殻を形成する一対の立設壁２０には、それそれ、係合突起２２と、スライド突起２３とが設けられている。
【００４５】
係合突起２２とスライド突起２３は、それぞれ、前述した一対の立設壁２０から電線装着部１６即ち第２のコネクタハウジング１１の外方向に突出している。スライド突起２３は、立設壁２０の電線保持部１７寄りの端部に設けられている。スライド突起２３の端面には、凹部２４（図４に示す）が形成されている。係合突起２２は、立設壁２０の電線保持部１７から離れた側の端部に設けられている。
【００４６】
カバー１８は、ヒンジ３１を介して電線保持部１７に連なっている。ヒンジ３１は、後述の壁２７の縁に連なっている。カバー１８は、平板状に形成されている。カバー１８は、ヒンジ３１によって、壁１９と立設壁２０に対して回転自在となっている。カバー１８は、前述した係合突起２２に係合可能なカバーロックアーム３２を備えている。カバー１８は、ヒンジ３１を中心として回転することで、図２に示す壁２７に重なる位置と、図１に示すカバーロックアーム３２が係合突起２２に係合して壁１９と間隔をあけて相対する位置と、に亘って変位する。
【００４７】
なお、カバーロックアーム３２が係合突起２２に係合した状態で、互いに隣り合う立設壁２０とカバー１８とで囲まれた空間は、電線収容室２１をなしている。電線収容室２１は、一対設けられている。電線収容室２１は、互いに平行でかつそれぞれ直線状に形成されている。図１中手前側に位置する一方の電線収容室２１（以下符号２１ａで示す）は、後述の一方の圧接端子１４ａを収容する。図１中奥側に位置する他方の電線収容室２１（以下符号２１ｂで示す）は、後述の他方の圧接端子１４ｂを収容する。これらの圧接端子１４ａ，１４ｂには、第２の電線３ａ，３ｂが圧接されるので、電線収容室２１ａ，２１ｂは第２の電線３ａ，３ｂを収容する。このため、電線装着部１６は第２の電線３ａ，３ｂを取り付ける。
【００４８】
さらに、本明細書では、前述したカバーロックアーム３２が係合突起２２に係合した状態で、電線収容室２１ａ，２１ｂが第２の電線３ａ，３ｂを収容すると定義する。勿論、立設壁２０間に第２の電線３ａ，３ｂが侵入しても、カバーロックアーム３２が係合突起２２に係合していない状態では、電線収容室２１ａが第２の電線３ａ，３ｂを収容したとはいわない。
【００４９】
さらに、カバー１８には、一対の突起３３が設けられている。一対の突起３３は、カバー１８の表面から凸であり、カバー１８が壁１９と間隔をあけて相対すると、それぞれ互いに隣り合う立設壁２０間に内に侵入する。こうして、一対の突起３３は、電線収容室２１ａ，２１ｂの内側に突出する。一方の電線収容室２１ａ内に位置する一方の突起３３（以下符号３３ａで示す）には、図２及び図１２などに示すように、端面から凹の凹溝３４が形成されている。凹溝３４は、一方の突起３３ａの全長に亘って設けられている。凹溝３４内には、一方の第２の電線３ａの突起６が侵入する。凹溝３４内に一方の第２の電線３ａの突起６が侵入しても、カバー１８のカバーロックアーム３２は係合突起２２に係合することができる。
【００５０】
このように、一方の突起３３ａは、凹溝３４内に突起６が侵入した格好でカバーロックアーム３２が係合突起２２に係合することを許容する。こうして、一方の突起３３ａは、一方の圧接端子１４ａに一方の第２の電線３ａが圧接することを許容する。即ち、一方の突起３３ａは、一方の電線収容室２１ａが一方の第２の電線３ａを収容することを許容して、一方の第２の電線３ａが一方の電線２ａと電気的に接続することを許容する。
【００５１】
他方の電線収容室２１ｂ内に位置する他方の突起３３（以下符号３３ｂで示す）は、他方の圧接端子１４ｂに一方の第２の電線３ａが圧接された際に、突起６と干渉して、カバーロックアーム３２が係合突起２２に係合することを規制する。このように、他方の突起３３ｂは、突起６と干渉してカバーロックアーム３２が係合突起２２に係合することを規制することで、他方の圧接端子１４ｂに一方の第２の電線３ａが圧接することを規制する。即ち、他方の突起３３ｂは、他方の電線収容室２１ｂが一方の第２の電線３ａを収容することを規制して、一方の第２の電線３ａが他方の電線２ｂと電気的に接続することを規制する。
【００５２】
さらに、前述した一対の突起３３ａ，３３ｂは、電線収容室２１ａ，２１ｂ内に他方の第２の電線３ｂが挿入されても、カバーロックアーム３２が係合突起２２に係合することを許容する。このように、一対の突起３３ａ，３３ｂは、電線収容室２１ａ，２１ｂが他方の第２の電線３ｂを収容することを許容する。
【００５３】
このように、一対の突起３３ａ，３３ｂは、電線収容室２１内に取り付けられる一対の第２の電線３ａ，３ｂのうち一方の第２の電線３ａと他方の第２の電線３ｂとを選り分ける。こうして、第２のコネクタハウジング１１は、第２の電線３ａ，３ｂを保持する。
【００５４】
なお、前述した電線収容室２１ａ，２１ｂと突起３３ａ，３３ｂは、本明細書に記した第２の電線選り分け部７２を構成している。さらに、一対の突起３３即ち一方の突起３３ａと他方の突起３３ｂは、本明細書に記した第２の突起をなしている。
【００５５】
電線保持部１７は、電線収容室２１の長手方向に沿って電線装着部１６に連なっている。電線保持部１７は、前記壁１９に連なる壁２５と、一対の周壁２６と、前記壁２５と間隔をあけて相対する壁２７と、を備えて筒状に形成されている。
【００５６】
壁２５には、第１のコネクタハウジング１０に取り付けられる圧接端子１２の圧接刃４９が通ることのできる貫通孔２８（図２に示す）が形成されている。一対の周壁２６は、前述した立設壁２０のうち電線装着部１６の外殻を形成する一対の立設壁２０と連なっている。一対の周壁２６は、壁２５から立設している。一対の周壁２６には、それぞれ切欠き２９が形成されている。
【００５７】
切欠き２９は、前記周壁２６の電線装着部１６から離れた側の縁から電線装着部１６に向かって周壁２６を切り欠いている。このため、周壁２６は、側方からみてコ字状に形成されている。切欠き２９は、電線装着部１６に収容された圧接端子１４に圧接される第２の電線３ａ，３ｂの長手方向に沿って、周壁２６即ち第２のコネクタハウジング１１を切り欠いている。切欠き２９内には、図４中などの矢印Ｃに沿って、周壁２６の電線装着部１６から離れた側から電線装着部１６に向かってペア電線２即ち一対の電線２ａ，２ｂが挿入される。なお、図４中の矢印Ｃは、切欠き２９内への一対の電線２ａ，２ｂの侵入方向をなしている。
【００５８】
また、前述した切欠き２９の矢印Ｃに沿う方向の中央部には、一方の電線２ａの突起６と干渉（接触）する段差３０が設けられている。段差３０は、切欠き２９の内縁に設けられている。この段差３０により、一方の電線２ａは、切欠き２９の中央部までしか侵入できない。段差３０は、一方の電線２ａが切欠き２９の奥まで侵入することを規制する。他方の電線２ｂは、段差３０と干渉（接触）することなく、切欠き２９の奥まで侵入できる。段差３０は、他方の電線２ｂが切欠き２９の奥まで侵入することを許容する。壁２７は、一対の周壁２６に連なっているとともに、壁２５と平行である。
【００５９】
前述した構成によって、電線保持部１７内即ち壁２５と壁２７間には、切欠き２９を通して電線２ａ，２ｂが侵入可能である。切欠き２９を通して電線保持部１７内に侵入した電線２ａ，２ｂの長手方向は、圧接端子１４に接続される第２の電線３ａ，３ｂの長手方向と直交（交差）する。すなわち、電線保持部１７は、第２の電線３ａ，３ｂの長手方向と交差する状態で、電線２ａ，２ｂを保持可能である。
【００６０】
また、前記段差３０は、突起６と干渉して一方の電線２ａを切欠き２９の矢印Ｃの中央部に位置づける。切欠き２９と段差３０は、一方の圧接端子１２ａに圧接するように、一方の電線２ａを位置づける。さらに、段差３０が他方の電線２ｂを干渉しないことにより、この他方の電線２ｂを一方の電線２ａより電線装着部１６寄りに位置づけるか、電線装着部１６から離れた側に位置づける。このように切欠き２９と段差３０は、他方の圧接端子１２ｂに圧接するように、他方の電線２ｂを位置づける。このように、切欠き２９と段差３０は、必ず一方の圧接端子１２ａに一方の電線２ａが圧接し、必ず他方の圧接端子１２ｂに他方の電線２ｂが圧接するように、ペア電線２即ち一対の電線２ａ，２ｂを案内する。切欠き２９と段差３０は、電線２ａ，２ｂを選り分ける。
【００６１】
なお、これらの切欠き２９と段差３０は、本明細書に記した電線選り分け部７１をなしている。さらに、前述した第１のコネクタハウジング１０と第２のコネクタハウジング１１は、本明細書に記したコネクタハウジングをなしている。
【００６２】
圧接端子１４は、図５に示すように、電線接続部３５と、圧接端子１２と電気的に接続する電気接触部３６とを備えている。電線接続部３５は、第２の電線３ａ，３ｂが表面上に置かれる底壁３７と、一対の側壁３８と、複数対の圧接刃３９ａ，３９ｂと、を備えている。底壁３７は、平面形状が矩形状に形成されている。底壁３７の長手方向は、表面上に置かれる第２の電線３ａ，３ｂの長手方向と平行である。
【００６３】
一対の側壁３８は、底壁３７の幅方向の両縁から立設している。一対の側壁３８は、互いの間隔をあけて相対している。複数対の圧接刃３９ａ，３９ｂは、一対の側壁３８から互いに近づく方向に延びており、互いの間に侵入した第２の電線３ａ，３ｂの被覆部５を切り込んで、第２の電線３ａ，３ｂの芯線４と接触する。電線接続部３５即ち圧接端子１４は、芯線４と電気的に接続する。即ち、電線接続部３５即ち圧接端子１４は、第２の電線３ａ，３ｂと圧接する。
【００６４】
電気接触部３６は、電線接続部３５に連なった板状の接触片４０を備えている。接触片４０は、前記底壁３７から一対の側壁３８と同方向に立設している。接触片４０は、底壁３７から離れた側の縁が、電線接続部３５に圧接される第２の電線３ａ，３ｂの長手方向に沿って変位するように弾性変形自在である。
【００６５】
前述した構成の圧接端子１４のうち図４中手前側に位置する一方の圧接端子１４（以下符号１４ａで示す）は、第２のコネクタハウジング１１の電線装着部１６の一方の電線収容室２１ａ内に収容される。こうして、圧接端子１４は、第２のコネクタハウジング１１に保持される。図４中奥側に位置する他方の圧接端子１４（以下符号１４ｂで示す）は、他方の電線収容室２１ｂ内に収容される。
【００６６】
そして、圧接刃３９ａ，３９ｂ間に第２の電線３ａ，３ｂが圧入されて、該圧接刃３９ａ，３９ｂが第２の電線３ａ，３ｂの被覆部５を切り込んで、芯線４と接触する。一方の圧接端子１４ａは、一方の第２の電線３ａと電気的に接続し、他方の圧接端子１４ｂは、他方の第２の電線３ｂと電気的に接続する。そして、電線保持部１７に向かってスライドされた第１のコネクタハウジング１０に保持された圧接端子１２ａ，１２ｂの接触片５１が図７に示すように接触片４０に接触する。
【００６７】
さらに、第１のコネクタハウジング１０を電線保持部１７に向かってスライドさせると、図８に示すように、底壁３７，４８から離れた側の縁が互いに離れる方向に接触片４０，５１が弾性変形する。第１のコネクタハウジング１０を電線保持部１７に向かってスライドさせて、圧接刃４９が電線保持部１７内に完全に侵入すると、第２のコネクタハウジング１１に取り付けられる第２の電線３ａ，３ｂの長手方向に接触片４０，５１が互いに接触する。
【００６８】
これらの接触片４０，５１は、図９中の矢印Ｋ１，Ｋ２で示すように互いに近づく方向の弾性復元力を生じる。接触片４０，５１が前述した弾性復元力を生じた格好で互いに接触して、一方の圧接端子１４ａと一方の圧接端子１２ａとは互いに電気的に接続するとともに、他方の圧接端子１４ｂと他方の圧接端子１２ｂとは互いに電気的に接続する。
【００６９】
前述した構成によれば、第１のコネクタハウジング１０の壁４１が電線保持部１７の壁２５と間隔をあけた状態で、電線保持部１７内に切欠き２９を通して電線２ａ，２ｂが挿入される。このとき、電線２ａ，２ｂの長手方向は、第２の電線３ａ，３ｂの長手方向と直交（交差）している。さらに、一方の電線２ａは、段差３０と干渉して、切欠き２９の中央部に位置している。他方の電線２ｂは、図１６に示すように一方の電線２ａより電線装着部１６寄りに位置しているか、図１８に示すように一方の電線２ａより電線装着部１６から離れている。
【００７０】
第１のコネクタハウジング１０を電線保持部１７に向かってスライドさせる。すると、前述したように接触片４０，５１が弾性復元力を生じて互いに接触する。さらに、一方の圧接端子１２ａの圧接刃４９に一方の電線２ａが圧接する。他方の圧接端子１２ｂの圧接刃４９に他方の電線２ｂが圧接する。こうして、一方の第２の電線３ａが、一方の圧接端子１４ａと一方の圧接端子１２ａとを介して、一方の電線２ａと電気的に接続する。他方の第２の電線３ｂが、他方の圧接端子１４ｂと他方の圧接端子１２ｂとを介して、他方の電線２ｂと電気的に接続する。
【００７１】
レバー部材１５は、平面形状が矩形状の壁５２と、一対の周壁５３とを備えている。一対の周壁５３は、壁５２の外縁から同方向に立設しており、互いの間隔をあけて相対している。周壁５３には、突起５５（図４に一方のみ示す）と、長孔５４が設けられている。突起５５は、周壁５３の端部に設けられかつスライド突起２３の凹部２４に係合する。突起５５がスライド突起２３の凹部２４に係合することで、レバー部材１５は、第２のコネクタハウジング１１に突起５５を中心として回転自在に支持される。長孔５４は、周壁５３の中央部に設けられかつ内側に連動突起４５が侵入する。
【００７２】
図１４に示す壁５２が第２のコネクタハウジング１１の壁１９，２５と交差する状態にレバー部材１５が変位すると、前述した長孔５４と連動突起４５により、第１のコネクタハウジング１０は電線保持部１７から離れた状態となる。図１に示す壁５２が第２のコネクタハウジング１１の壁１９，２５と平行な状態にレバー部材１５が変位すると、前述した長孔５４と連動突起４５により、第１のコネクタハウジング１０は電線保持部１７に近づいた状態となる。このように、レバー部材１５を回転することで、第１のコネクタハウジング１０を第２のコネクタハウジング１１の電線保持部１７に近づけたり、該電線保持部１７から遠ざけたりする。即ち、レバー部材１５を回転して、第１のコネクタハウジング１０をスライドさせる。
【００７３】
前述したコネクタ１を組み立てる際には、まず、第２のコネクタハウジング１１の立設壁２０間に圧接端子１４ａ，１４ｂを挿入する。そして、第１のコネクタハウジング１０の壁４１に圧接端子１２ａ，１２ｂを取り付ける。第１のコネクタハウジング１０の長孔４４内にスライド突起２３を通して、第１のコネクタハウジング１０と第２のコネクタハウジング１１とを互いに取り付ける。その後、第２のコネクタハウジング１１のスライド突起２３の凹部２４に突起５５を挿入しかつ長孔５４内に連動突起４５を挿入して、これらのコネクタハウジング１０，１１にレバー部材１５を取り付ける。
【００７４】
前述したコネクタ１を用いて、自動車に新たな電子機器を追加して、該電子機器を自動車に配索済みのペア電線２と電気的に接続する際には、まず、第２のペア電線３の第２の電線３ａ，３ｂを圧接端子１４ａ，１４ｂに取り付ける。なお、これらの第２の電線３ａ，３ｂは、前述した自動車に新たに追加される電子機器と電気的に接続する。第２の電線３ａ，３ｂを図１０中の矢印Ａに沿って圧接端子１４ａ，１４ｂの圧接刃３９ａ，３９ｂ間に圧入して、圧接端子１４ａ，１４ｂに第２の電線３ａ，３ｂを圧接する。
【００７５】
そして、ヒンジ３１を中心としてカバー１８を回転させて、図１１に示すように、カバーロックアーム３２を係合突起２２に係合させる。このとき、図１３に示すように、一方の突起３３ａが侵入する一方の電線収容室２１ａに取り付けられた一方の圧接端子１４ａには、一方の第２の電線３ａが圧接している。一方の突起３３ａの凹溝３４内には一方の第２の電線３ａの突起６が侵入している。他方の突起３３ｂが侵入する他方の電線収容室２１ｂに取り付けられた他方の圧接端子１４ｂには、他方の第２の電線３ｂが圧接されている。
【００７６】
なお、このとき、他方の突起３３ｂと、一方の第２の電線３ａの突起６が干渉して、カバー１８のカバーロックアーム３２が係合突起２２に係合しない場合には、第２の電線３ａ，３ｂを圧接端子１４ａ，１４ｂから取り外す。再度、第２の電線３ａ，３ｂを圧接端子１４ａ，１４ｂに圧接して、第２のコネクタハウジング１１に第２の電線３ａ，３ｂを取り付ける。
【００７７】
こうして、第２の電線選り分け部７２により、必ず一方の第２の電線３ａを一方の圧接端子１２ａと電気的に接続する一方の圧接端子１４ａを取り付けた一方の電線収容室２１ａに収容しておく。さらに、必ず他方の第２の電線３ｂを他方の圧接端子１２ｂと電気的に接続する他方の圧接端子１４ｂを取り付けた他方の電線収容室２１ｂに収容しておく。
【００７８】
そして、図１４及び図１５に示すように、壁５２が第２のコネクタハウジング１１の壁１９，２５に交差した状態にレバー部材１５を位置させ、第１のコネクタハウジング１０を電線保持部１７から離しておく。
【００７９】
そして、第２の電線３ａ，３ｂが取り付けられたコネクタ１を、第２のコネクタハウジング１１の電線保持部１７から既に配索されたペア電線２に近づける。切欠き２９を通して電線保持部１７内にペア電線２即ち電線２ａ，２ｂを挿入する。すると、一方の電線２ａは、突起６が段差３０を干渉（接触）して、切欠き２９の中央部に位置する。他方の電線２ｂは、図１６に示すように一方の電線２ａより電線装着部１６寄りに位置しているか、図１８に示すように一方の電線２ａより電線装着部１６から離れている。
【００８０】
そして、壁５２が電線装着部１６の壁１９に重なるまで、レバー部材１５を回転させる。すると、前述した長孔５４と連動突起４５により、第１のコネクタハウジング１０は、電線保持部１７に向かってスライドする。すると、電線保持部１７の壁２５の貫通孔２８を通して圧接端子１２ａ，１２ｂの圧接刃４９が電線保持部１７内に徐々に侵入するとともに、圧接端子１４ａ，１４ｂの接触片４０が圧接端子１２ａ，１２ｂの接触片５１に徐々に近づく。
【００８１】
圧接端子１２ａ，１２ｂの圧接刃４９に電線２ａ，２ｂが圧接するとともに、接触片４０，５１が互いに近づく方向に弾性復元力を生じた格好で互いに接触する。こうして、図１７または図１９に示すように、レバー部材１５の壁５２が電線装着部１６の壁１９に重なる。
【００８２】
こうして、一方の第２の電線３ａと一方の電線２ａとが電気的に接続し、他方の第２の電線３ｂと他方の電線２ｂとが電気的に接続する。このように、新たに追加される電子機器を既に配索された電線２ａ，２ｂに電気的に接続することができる。
【００８３】
本実施形態によれば、電線選り分け部７１は、必ず一方の電線２ａと一方の圧接端子１２ａとが接続しかつ必ず他方の電線２ｂと他方の圧接端子１２ｂとが接続するように、一対の電線２ａ，２ｂを案内する。第１のコネクタハウジング１０を電線保持部１７に向けてスライドさせると、必ず一方の圧接端子１２ａと一方の圧接端子１４ａとが電気的に接続し、必ず他方の圧接端子１２ｂと他方の圧接端子１４ｂとが電気的に接続する。
【００８４】
このため、予め一方の圧接端子１２ａに一方の電線２ａと同じ位相の一方の第２の電線３ａを接続し、他方の圧接端子１２ｂに他方の電線２ｂと同じ位相の他方の第２の電線３ｂを接続しておくことで、同じ位相の電線２ａ，３ａを確実に接続できるとともに、同じ位相の電線２ｂ，３ｂを確実に接続できる。
【００８５】
また、電線選り分け部７１は、必ず一方の電線２ａと一方の圧接端子１２ａとを接続しかつ必ず他方の電線２ｂと他方の圧接端子１２ｂとを接続するように、一対の電線２ａ，２ｂを案内する。このため、同じ位相の電線２ａ，３ａを容易に接続できるとともに、同じ位相の電線２ｂ，３ｂを容易に接続できる。したがって、ペア電線２，３同士を容易でかつ確実に接続できる。
【００８６】
また、第２の電線選り分け部７２は、一方の第２の電線３ａが他方の圧接端子１４ｂに圧接された状態で他方の電線収容室２１ｂ内に収容されることを規制する。第２の電線選り分け部７２は、一方の第２の電線３ａが一方の圧接端子１４ａに圧接された状態で一方の電線収容室２１ａ内に収容されることを許容する。このため、第２の電線選り分け部７２は、一方の第２の電線３ａが他方の電線２ｂに接続することを規制し、一方の第２の電線３ａが一方の電線２ａと接続することを許容する。
【００８７】
このため、必ず一方の第２の電線３ａを一方の圧接端子１４ａに圧接した状態で一方の電線収容室２１ａ内に収容できる。必ず他方の第２の電線３ｂを一方の圧接端子１４ｂに圧接した状態で他方の電線収容室２１ｂ内に収容できる。このため、一方の電線２ａと一方の第２の電線３ａとを確実に接続でき、他方の電線２ｂと他方の第２の電線３ｂとを確実に接続できる。したがって、同じ位相の電線２ａ，３ａを確実に接続できるとともに、同じ位相の電線２ｂ，３ｂを確実に接続できる。したがって、ペア電線２，３同士を確実に接続できる。
【００８８】
さらに、段差３０は一方の電線２ａが切欠き２９の奥まで侵入することを規制し、他方の電線２ｂが切欠き２９の奥まで侵入することを許容する。このため、切欠き２９内に一対の電線２ａ，２ｂを挿入することで、一方の電線２ａと他方の電線２ｂとを選り分けることができる。このため、必ず一方の電線２ａと一方の圧接端子１２ａとを確実に接続でき、必ず他方の電線２ｂと他方の圧接端子１２ｂとを確実に接続できる。一方の電線２ａが段差３０と接触する突起６を備えている。このため、一方の電線２ａと他方の電線２ｂとを選り分けることができ、一方の電線２ａと一方の圧接端子１２ａとをより確実に接続できる。
【００８９】
また、他方の突起３３ｂは、他方の電線収容室２１ｂ内に一方の第２の電線３ａが収容されることを規制する。一方の突起３３ａは、一方の電線収容室２１ａ内に一方の電線３ａが収容されることを許容する。このため、一方の第２の電線３ａと他方の第２の電線３ｂとを選り分けることができる。
【００９０】
このため、突起３３ａ，３３ｂにより、一方の電線収容室２１ａ内に一方の第２の電線３ａが収容されかつ他方の電線収容室２１ｂ内に他方の第２の電線３ｂが収容される。このため、一方の第２の電線３ａを一方の電線２ａと確実に接続でき、他方の第２の電線３ｂを他方の電線２ｂと確実に接続できる。したがって、同じ位相の電線２ａ，３ａを確実に接続できるとともに、同じ位相の電線２ｂ，３ｂを確実に接続できる。したがって、ペア電線２，３同士を確実に接続できる。
【００９１】
一方の第２の電線３ａが他方の突起３３ｂと干渉（接触）する突起９を備えている。このため、一方の第２の電線３ａと他方の第２の電線３ｂとを選り分けることができる。このため、必ず一方の第２の電線３ａを一方の電線収容室２１ａ内に確実に収容でき、必ず一方の第２の電線３ａを一方の電線２ａと確実に接続できる。したがって、ペア電線２，３同士をより確実に接続できる。第１及び第２の電線選り分け部７１，７２により、ペア電線２，３同士を所望のパターンで接続できる。即ち、ペア電線２，３同士の誤結防止及び誤結確認を図ることができる。また、第１及び第２の電線選り分け部７１，７２により、ペア電線２，３を目視することなく接続できる。即ち、ブラインド作業が可能となる。
【００９２】
電線保持部１７に電線２ａ，２ｂを保持して、第１のコネクタハウジング１０を電線保持部１７に向かってスライドさせて、圧接端子１２ａ，１２ｂに電線２ａ，２ｂを圧接させる。すると、圧接端子１４ａ，１４ｂと圧接端子１２ａ，１２ｂとが電気的に接続する。このため、電線保持部１７に電線２ａ，２ｂを保持して、第１のコネクタハウジング１０をスライドさせることで、第２の電線３ａ，３ｂと電線２ａ，２ｂとを電気的に接続できる。したがって、第２の電線３ａ，３ｂと電線２ａ，２ｂとを容易に電気的に接続でき、第２の電線３ａ，３ｂと電線２ａ，２ｂとを確実に電気的に接続できる。
【００９３】
切欠き２９が第２のコネクタハウジング１１を切り欠いているので、電線保持部１７は電線２ａ，２ｂを確実に保持できる。また、電線保持部１７は、第２の電線３ａ，３ｂと交差する状態で電線２ａ，２ｂを保持する。このため、電線保持部１７内に電線２ａ，２ｂを容易に挿入でき、電線２ａ，２ｂを圧接端子１２ａ，１２ｂに確実に圧接できる。したがって、電線保持部１７内に電線２ａ，２ｂを容易に挿入できるので、第２の電線３ａ，３ｂと電線２ａ，２ｂとを容易に電気的に接続できる。
【００９４】
第２の切欠き４３が第２のコネクタハウジング１１に対するスライド方向に沿って、第１のコネクタハウジング１０を切り欠いている。このため、電線保持部１７の切欠き２９が第２のコネクタハウジング１１を切り欠いた方向と、第２の切欠き４３が第１のコネクタハウジング１０を切り欠いた方向とは互いに交差している。このため、第１のコネクタハウジング１０を電線保持部１７に向かってスライドさせて、圧接端子１２ａ，１２ｂに電線２ａ，２ｂを圧接すると、切欠き２９と第２の切欠き４３とで電線２ａ，２ｂの外周を包囲することとなる。したがって、第２の電線３ａ，３ｂと接続された電線２ａ，２ｂが不意に脱落することを防止できる。
【００９５】
圧接端子１４ａ，１４ｂの接触片４０と、圧接端子１２ａ，１２ｂの接触片５１とは、第２の電線３ａ，３ｂの長手方向に互いに接触して互いに近づく方向に弾性復元力を発生する。このため、第１のコネクタハウジング１０を電線保持部１７に向かってスライドさせると、圧接端子１４ａ，１４ｂと圧接端子１２ａ，１２ｂとが確実に電気的に接続して、第２の電線３ａ，３ｂと電線２ａ，２ｂとが確実に電気的に接続する。したがって、第２の電線３ａ，３ｂと電線２ａ，２ｂとをより確実に電気的に接続できる。
【００９６】
接触片４０，５１は、底壁３７，４８から立設しかつこれらの底壁３７，４８から離れた側の縁が第２の電線３ａ，３ｂの長手方向に沿って変位自在である。このため、第１のコネクタハウジング１０を電線保持部１７に向かってスライドさせると、接触片４０，５１は互いに接触して互いに近づく方向に弾性復元力を確実に発生する。したがって、第２の電線３ａ，３ｂと電線２ａ，２ｂとをより一層確実に電気的に接続できる。
【００９７】
レバー部材１５を回転させることで、第１のコネクタハウジング１０をスライドさせる。このため、第１のコネクタハウジング１０を確実にスライドでき、圧接端子１２ａ，１２ｂに電線２ａ，２ｂを確実に圧接できる。したがって、第２の電線３ａ，３ｂと電線２ａ，２ｂとをより一層確実に電気的に接続できる。
【００９８】
次に、本発明の第２の実施形態にかかるコネクタを図２０及び図２１を参照して説明する。なお、前述した第１の実施形態と同一部分には同一符号を付して説明を省略する。本実施形態のコネクタ１は、前述した第１の実施形態のコネクタ１からレバー部材１５を取り外したものである。他の構成は、前述した第１の実施形態のコネクタ１と同等である。
【００９９】
本実施形態のコネクタ１の圧接端子１２ａ，１２ｂに電線２ａ，２ｂを圧接する際には、図２１に示す工具６０を用いる。工具６０は、ペンチ状に形成されており、作用部６１と支点部６２と入力部６３とを備えている。作用部６１は、互いに離れたり近づいたり（接離）する一対の挟み片６４を備えている。一対の挟み片６４は、互いの間にコネクタ１を挟む。支点部６２は、一対の挟み片６４を互いに接離自在に支持する。入力部６３は、一対の挟み片６４と連動して互いに接離する一対の柄６５を備えている。前述した構成の工具６０は、作業員が一対の柄６５を互いに近づけると、一対の挟み片６４が互いに近づく。
【０１００】
本実施形態のコネクタ１は、前述した第１の実施形態と同様に組み立てられる。まず、第２のコネクタハウジング１１の立設壁２０間に圧接端子１４ａ，１４ｂを収容する。そして、第１のコネクタハウジング１０の壁４１に圧接端子１２ａ，１２ｂを取り付ける。第１のコネクタハウジング１０の長孔４４内にスライド突起２３を通して、第２のコネクタハウジング１１と第１のコネクタハウジング１０とを互いに取り付ける。
【０１０１】
前述したコネクタ１を用いて、自動車に新たな電子機器を追加して、該電子機器を自動車に配索済みの電線２ａ，２ｂと電気的に接続する際には、前述した第１の実施形態と同様に、まず、第２の電線３ａ，３ｂを圧接端子１４ａ，１４ｂに取り付ける。そして、ヒンジ３１を中心としてカバー１８を回転させて、カバーロックアーム３２を係合突起２２に係合させる。
【０１０２】
第２の電線３ａ，３ｂが取り付けられたコネクタ１を、図２１に示すように、工具６０の一対の挟み片６４間に挟む。工具６０毎、コネクタ１を第２のコネクタハウジング１１の電線保持部１７から既に配索された電線２ａ，２ｂに近づける。切欠き２９を通して電線保持部１７内に電線２ａ，２ｂを挿入する。このとき、一方の電線２ａは、切欠き２９の中央部に位置している。他方の電線２ｂは、一方の電線２ａより電線装着部１６寄りに位置しているか、一方の電線２ａより電線装着部１６から離れている。
【０１０３】
そして、一対の柄６５を互いに近づけて、第１のコネクタハウジング１０を電線保持部１７に向かってスライドさせる。すると、電線保持部１７の壁２５の貫通孔２８を通して圧接端子１２ａ，１２ｂの圧接刃４９が電線保持部１７内に徐々に侵入するとともに、圧接端子１４ａ，１４ｂの接触片４０が圧接端子１２ａ，１２ｂの接触片５１に徐々に近づく。圧接端子１２ａ，１２ｂの圧接刃４９に電線２ａ，２ｂが圧接するとともに、接触片４０，５１が互いに近づく方向に弾性復元力を生じた格好で互いに接触する。
【０１０４】
こうして、一方の第２の電線３ａと一方の電線２ａとが電気的に接続し、他方の第２の電線３ｂと他方の電線２ｂとが電気的に接続する。このように、新たに追加される電子機器を既に配索された電線２ａ，２ｂに電気的に接続することができる。
【０１０５】
本実施形態によれば、前述した第１の実施形態と同様に、電線選り分け部７１が必ず一方の電線２ａと一方の圧接端子１２ａとを接続しかつ必ず他方の電線２ｂと他方の圧接端子１２ｂとが接続するように、一対の電線２ａ，２ｂを案内する。
【０１０６】
また、第２の電線選り分け部７２は、一方の第２の電線３ａが他方の圧接端子１４ｂに圧接された状態で他方の電線収容室２１ｂ内に収容されることを規制する。第２の電線選り分け部７２は、一方の第２の電線３ａが一方の圧接端子１４ａに圧接された状態で一方の電線収容室２１ａ内に収容されることを許容する。このため、第２の電線選り分け部７２は、一方の第２の電線３ａが他方の電線２ｂに接続することを規制し、一方の第２の電線３ａが一方の電線２ａと接続することを許容する。
【０１０７】
このため、必ず一方の第２の電線３ａを一方の圧接端子１４ａに圧接した状態で一方の電線収容室２１ａ内に収容できる。必ず他方の第２の電線３ｂを他方の圧接端子１４ｂに圧接した状態で他方の電線収容室２１ｂ内に収容できる。したがって、一方の電線２ａと一方の第２の電線３ａとを確実に電気的に接続でき、他方の電線２ｂと他方の第２の電線３ｂとを確実に電気的に接続できる。このため、同じ位相の電線２ａ，３ａを確実に接続できるとともに、同じ位相の電線２ｂ，３ｂを確実に接続できる。したがって、ペア電線２，３同士を容易でかつ確実に互いに電気的に接続できる。
【０１０８】
段差３０は一方の電線２ａが切欠き２９の奥まで侵入することを規制し、他方の電線２ｂが切欠き２９の奥まで侵入することを許容する。一方の電線２ａが段差３０と接触する突起６を備えている。このため、切欠き２９内に一対の電線２ａ，２ｂを挿入することで、一方の電線２ａと他方の電線２ｂとを選り分けることができる。したがって、一方の電線２ａと一方の圧接端子１２ａとを確実に接続でき、他方の電線２ｂと他方の圧接端子１２ｂとを確実に接続できる。
【０１０９】
また、他方の突起３３ｂは、他方の電線収容室２１ｂ内に一方の第２の電線３ａが収容されることを規制する。一方の突起３３ａは、一方の電線収容室２１ａ内に一方の電線３ａが収容されることを許容する。一方の第２の電線３ａが他方の突起３３ｂと干渉（接触）する突起９を備えている。このため、突起３３ａ，３３ｂにより、一方の第２の電線３ａと他方の第２の電線３ｂとを選り分けることができる。したがって、必ず一方の電線収容室２１ａ内に一方の第２の電線３ａが収容されかつ必ず他方の電線収容室２１ｂ内に他方の第２の電線３ｂが収容される。このため、一方の第２の電線３ａを一方の電線２ａと確実に接続でき、他方の第２の電線３ｂを他方の電線２ｂと確実に接続できる。第１及び第２の電線選り分け部７１，７２により、ペア電線２，３同士を所望のパターンで接続できる。即ち、ペア電線２，３同士の誤結防止及び誤結確認を図ることができる。また、第１及び第２の電線選り分け部７１，７２により、ペア電線２，３を目視することなく接続できる。即ち、ブラインド作業が可能となる。
【０１１０】
また、電線保持部１７に電線２ａ，２ｂを保持して、第１のコネクタハウジング１０をスライドさせることで、第２の電線３ａ，３ｂと電線２ａ，２ｂとを電気的に接続できる。したがって、第２の電線３ａ，３ｂと電線２ａ，２ｂとを容易に電気的に接続でき、第２の電線３ａ，３ｂと電線２ａ，２ｂとを確実に電気的に接続できる。
【０１１１】
工具６０の一対の柄６５を互いに近づけることで、第１のコネクタハウジング１０をスライドさせる。このため、第１のコネクタハウジング１０を確実にスライドでき、圧接端子１２ａ，１２ｂに電線２ａ，２ｂを確実に圧接できる。したがって、第２の電線３ａ，３ｂと電線２ａ，２ｂとをより一層確実に電気的に接続できる。
【０１１２】
さらに、前述した第１及び第２の実施形態では、一方の電線２ａの外径Ｒと他方の電線２ｂの外径Ｒとを等しくしており、一方の第２の電線３ａの外径Ｒａと他方の第２の電線３ｂの外径Ｒａとを等しくしている。さらに、一方の電線２ａに突起６を設け、一方の第２の電線３ａに突起９を設けている。こうして、一方の電線２ａを一方の第２の電線３ａと接続させ、他方の電線２ｂを他方の第２の電線３ｂと接続させている。
【０１１３】
しかしながら本発明では、一方の電線２ａの外径Ｒ１（図２２、図２４及び図２５に示す）を他方の電線２ｂの外径Ｒ２（図２２、図２４及び図２５に示す）より大きく形成し、一方の第２の電線３ａの外径Ｒａ１（図２２ないし図２５に示す）を他方の第２の電線３ｂの外径Ｒａ２（図２２及び図２３に示す）より大きく形成しても良い。なお、図２２ないし図２５中において、前述した第１の実施形態と同一部分には同一符号を付して説明を省略する。
【０１１４】
この場合、一方の電線２ａは段差３０と干渉（接触）して切欠き２９の奥まで侵入することが規制される。一方の電線２ａは切欠き２９の矢印Ｃに沿う方向の中央部に位置づけられる。一方の電線２ａと他方の電線２ｂとを選り分けることができる。一方の第２の電線３ａは他方の突起３３ｂと干渉して他方の電線収容室２１ｂ内に収容されることが規制される。一方の第２の電線３ａは一方の突起３３ａと干渉せずに一方の電線収容室２１ａ内に収容される。一方の第２の電線３ａと他方の第２の電線３ｂとを選り分けることができる。
【０１１５】
本発明では、前述したように電線２ａ，２ｂの外径Ｒ１，Ｒ２を互いに異なるように形成し、第２の電線３ａ，３ｂの外径Ｒａ１，Ｒａ２を互いに異なるように形成することで、互いに同じ位相の一方の電線２ａと一方の第２の電線３ａを接続しても良い。さらに、互いに同じ位相の他方の電線２ｂと他方の第２の電線３ｂを接続しても良い。
【０１１６】
【発明の効果】
以上説明したように、請求項１に記載の本発明によれば、電線選り分け部は、必ず一方の電線と一方の端子金具とが接続しかつ他方の電線と他方の端子金具とが接続するように、一対の電線を案内する。このため、予め一方の端子金具に一方の電線と同じ位相の電線を接続し、他方の端子金具に他方の電線と同じ位相の電線を接続しておくことで、同じ位相の電線同士を確実に接続できる。また、電線選り分け部により一方の電線と一方の端子金具とが接続しかつ他方の電線と他方の端子金具とが接続する。このため、同じ位相の電線同士を容易に接続できる。したがって、ペア電線同士を容易でかつ確実に接続できる。第１及び第２の電線選り分け部により、ペア電線同士を所望のパターンで接続できる。即ち、ペア電線同士の誤結防止及び誤結確認を図ることができる。また、第１及び第２の電線選り分け部により、ペア電線を目視することなく接続できる。即ち、ブラインド作業が可能となる。
【０１１７】
段差は一方の電線が切欠きの奥まで侵入することを規制し、他方の電線が切欠きの奥まで侵入することを許容する。このため、切欠き内に一対の電線を挿入することで、一方の電線と他方の電線とを選り分けることができる。このため、一方の電線と一方の端子金具とを確実に接続でき、他方の電線と他方の端子金具とを確実に接続できる。したがって、ペア電線同士を容易でかつ確実に接続できる。
【０１１８】
請求項２に記載の本発明によれば、一方の電線が段差と接触する突起を備えている。このため、一方の電線と他方の電線とを選り分けることができる。このため、一方の電線と一方の端子金具とをより確実に接続できる。したがって、ペア電線同士をより確実に接続できる。
【０１１９】
請求項３に記載の本発明によれば、一方の電線の外径が他方の電線より大きい。このため、一方の電線が段差と確実に干渉して、一方の電線と他方の電線とを選り分けることができ、一方の電線と一方の端子金具とをより確実に接続できる。したがって、ペア電線同士をより確実に接続できる。
【０１２０】
請求項４に記載の本発明によれば、第２の電線選り分け部が、一方の第２の電線が他方の電線に接続することを規制し、一方の第２の電線が一方の電線と接続することを許容する。このため、必ず第２の電線選り分け部により、一方の第２の電線と一方の電線とを接続でき、他方の第２の電線と他方の電線とを接続できる。
【０１２１】
このため、一方の第２の電線と一方の電線とを予め同じ位相に定めておき、他方の第２の電線と他方の電線とを予め同じ位相に定めておくことにより、同じ位相の電線同士を確実に接続できる。
【０１２２】
請求項５に記載の本発明によれば、第２の突起は、他方の電線収容室内に一方の第２の電線が収容されることを規制する。また、他方の電線収容室内には、一方の電線と接続する一方の第２の電線が収容される。このため、第２の突起により、一方の電線収容室内に一方の第２の電線が収容されかつ他方の電線収容室内に他方の第２の電線が収容される。このため、必ず一方の第２の電線を一方の電線と確実に接続でき、必ず他方の第２の電線を他方の電線と確実に接続できる。したがって、一方の第２の電線と一方の電線とを予め同じ位相に定めておき、他方の第２の電線と他方の電線とを予め同じ位相に定めておくことにより、同じ位相の電線同士を確実に接続できる。したがって、ペア電線同士を容易でかつ確実に接続できる。
【０１２３】
請求項６に記載の本発明によれば、一方の第２の電線が第２の突起と接触する突起を備えている。このため、一方の第２の電線を一方の電線収容室内に確実に収容でき、一方の第２の電線と他方の第２の電線とを選り分けることができる。このため、一方の第２の電線を一方の電線と確実に接続できる。したがって、ペア電線同士をより確実に接続できる。
【０１２４】
請求項７に記載の本発明によれば、一方の第２の電線の外径が他方の第２の電線より大きい。このため、一方の第２の電線が第２の突起と確実に干渉して、一方の第２の電線を一方の電線収容室内に確実に収容できる。一方の第２の電線と他方の第２の電線とを選り分けることができる。一方の第２の電線を一方の電線と確実に接続できる。したがって、ペア電線同士をより確実に接続できる。
【図面の簡単な説明】
【図１】本発明の第１の実施形態にかかるコネクタの斜視図である。
【図２】図１に示されたコネクタに電線が取り付けられていない状態を示す斜視図である。
【図３】図２中の矢印ＩＩＩ方向からみたコネクタの斜視図である。
【図４】図３に示されたコネクタを分解して示す斜視図である。
【図５】図１に示されたコネクタの圧接端子を示す斜視図である。
【図６】図１に示されたコネクタの第２のコネクタハウジングの電線保持部から第１のコネクタハウジングが離れている状態を示す断面図である。
【図７】図６に示された状態から第１のコネクタハウジングが電線保持部に向かってスライドされ始めた状態を示す断面図である。
【図８】図７に示された状態から第１のコネクタハウジングが電線保持部に向かってさらにスライドされた状態を示す断面図である。
【図９】図８に示された状態から第１のコネクタハウジングが電線保持部に向かって完全にスライドされた状態を示す断面図である。
【図１０】図３に示されたコネクタの圧接端子に第２の電線が圧接される状態を示す斜視図である。
【図１１】図３に示されたコネクタに第２の電線が取り付けられた状態を示す斜視図である。
【図１２】図２中のＸＩＩ−ＸＩＩ線に沿う断面図である。
【図１３】図１１中のＸＩＩＩ−ＸＩＩＩ線に沿う断面図である。
【図１４】図１１に示された第２の電線付きのコネクタを電線に近づける状態を示す斜視図である。
【図１５】図１４に示されたコネクタなどの側面図である。
【図１６】図１５に示す状態からコネクタの電線保持部内に電線を挿入した状態を示す側面図である。
【図１７】図１６に示す状態からレバー部材を回転させて第１のコネクタハウジングを電線保持部に向かって移動させた状態を示す側面図である。
【図１８】図１１に示された第２の電線付きのコネクタの電線保持部内に一方の電線より他方の電線が電線装着部から離れた状態で挿入された状態を示す側面図である。
【図１９】図１８に示す状態からレバー部材を回転させて第１のコネクタハウジングを電線保持部に近づけた状態を示す側面図である。
【図２０】本発明の第２の実施形態にかかるコネクタの斜視図である。
【図２１】図２０に示されたコネクタに電線を取り付ける状態を示す斜視図である。
【図２２】本発明のコネクタの変形例を示す斜視図である。
【図２３】図２２中のＤ−Ｄ線に沿う断面図である。
【図２４】図２２に示されたコネクタの電線保持部内に電線を挿入した状態を示す側面図である。
【図２５】図２４に示す状態からカバー部材を回転させて第１のコネクタハウジングを電線保持部に向かって移動させた状態を示す側面図である。
【符号の説明】
１  コネクタ
２ａ  一方の電線
２ｂ  他方の電線
３ａ  一方の第２の電線
３ｂ  他方の第２の電線
５  被覆部
６  突起
８  被覆部
９  突起（第３の突起）
１０  第１のコネクタハウジング（コネクタハウジング）
１１  第２のコネクタハウジング（コネクタハウジング）
１２  圧接端子（端子金具）
１２ａ  一方の圧接端子（一方の端子金具）
１２ｂ  他方の圧接端子（他方の端子金具）
１６  電線装着部
２１  電線収容室
２１ａ  一方の電線収容室
２１ｂ  他方の電線収容室
２９  切欠き
３０  段差
３３  突起（第２の突起）
３３ａ  一方の突起（第２の突起）
３３ｂ  他方の突起（第２の突起）
７１  電線選り分け部
７２  第２の電線選り分け部
Ｒ  電線の外径
Ｒａ  第２の電線の外径
Ｒ１  一方の電線の外径
Ｒ２  他方の電線の外径
Ｒａ１  一方の第２の電線の外径
Ｒａ２  他方の第２の電線の外径
Ｃ  切欠きへの電線の侵入方向
【図１】
0003924187.tif 000002
【図２】
0003924187.tif 000003
【図３】
0003924187.tif 000004
【図４】
0003924187.tif 000005
【図５】
0003924187.tif 000006
【図６】
0003924187.tif 000007
【図７】
0003924187.tif 000008
【図８】
0003924187.tif 000009
【図９】
0003924187.tif 000010
【図１０】
0003924187.tif 000011
【図１１】
0003924187.tif 000012
【図１２】
0003924187.tif 000013
【図１３】
0003924187.tif 000014
【図１４】
0003924187.tif 000015
【図１５】
0003924187.tif 000016
【図１６】
0003924187.tif 000017
【図１７】
0003924187.tif 000018
【図１８】
0003924187.tif 000019
【図１９】
0003924187.tif 000020
【図２０】
0003924187.tif 000021
【図２１】
0003924187.tif 000022
【図２２】
0003924187.tif 000023
【図２３】
0003924187.tif 000024
【図２４】
0003924187.tif 000025
【図２５】
0003924187.tif 000026